【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
植物を照らす栽培用照明装置であって、
複数の照明要素を含む照明モジュールと、
前記照明モジュールを、複数の個別のモード間で切り替えるコントローラと、
を含み、
前記照明モジュールは、前記複数の個別のモードにおける動作に制限され、前記複数の個別のモードは、異なる所定の組み合わせにおける前記複数の照明要素から光を放射することによって異なる個別のスペクトル組成を有する光を放射し、前記複数の個別のモードは、前記植物の成長を促進させるスペクトルで構成される成長モードと、前記植物の別の生物学的プロセスを誘導するスペクトルで構成される少なくとも１つの誘導モードとを含み、前記複数の照明要素の少なくとも１つは、前記成長モード及び前記誘導モードの両方において放射し、
前記コントローラは、前記照明モジュールを、１日サイクルの異なる各段階において、前記成長モードと前記少なくとも１つの誘導モードとで切り替える、装置。
【請求項２】
前記コントローラは、前記照明モジュールを、前記１日サイクルの昼間段階中に、前記成長モードに切り替え、また、前記照明モジュールを、前記１日サイクルの夜間段階中に、前記少なくとも１つの誘導モードに切り替える、請求項１に記載の装置。
【請求項３】
所定のスケジュールに従って前記１日サイクルの前記段階を決定する、請求項１又は２に記載の装置。
【請求項４】
前記異なる所定の組み合わせは、異なる所定のパターンで、前記複数の照明要素をオン及びオフに切り替えることによって形成される、請求項１、２又は３に記載の装置。
【請求項５】
前記異なる所定の組み合わせは、異なる所定の強度の組み合わせで、前記複数の照明要素から光を放射することによって形成される、請求項１乃至４の何れか一項に記載の装置。
【請求項６】
前記コントローラは、１つ以上のセンサを含み、前記１つ以上のセンサに基づいて、前記成長モードと前記少なくとも１つの誘導モードとを切替え、及び／又は、前記１つ以上のセンサに基づいて、前記少なくとも１つの誘導モードの持続時間を制御する、請求項１乃至５の何れか一項に記載の装置。
【請求項７】
前記１つ以上のセンサは、
日光の光レベルを検知する日光センサであって、前記コントローラは、検知された前記光レベルに基づいて、前記成長モードと前記少なくとも１つの誘導モードとを切替え、及び／又は、検知された前記光レベルに基づいて、前記少なくとも１つの誘導モードの持続時間を制御する、日光センサと、
前記日光のスペクトル組成を検知する日光センサであって、前記コントローラは、前記日光の検知された前記スペクトル組成に基づいて、前記成長モードと前記少なくとも１つの誘導モードとを切替え、及び／又は、前記日光の検知された前記スペクトル組成に基づいて、前記少なくとも１つの誘導モードの持続時間を制御する、日光センサと、
湿度センサであって、前記コントローラは、検知された湿度に基づいて、前記成長モードと前記少なくとも１つの誘導モードとを切替え、及び／又は、検知された湿度に基づいて、前記少なくとも１つの誘導モードの持続時間を制御する、湿度センサと、
温度センサであって、前記コントローラは、検知された温度に基づいて、前記成長モードと前記少なくとも１つの誘導モードとを切替え、及び／又は、検知された温度に基づいて、前記少なくとも１つの誘導モードの持続時間を制御する、温度センサと、
植物成長パフォーマンスセンサ及び／又は他の植物健康センサであって、前記コントローラは、前記植物の検知された成長パフォーマンス及び／又は健康に基づいて、前記成長モードと前記少なくとも１つの誘導モードとを切替え、及び／又は、前記植物の検知された成長パフォーマンス及び／又は健康に基づいて、前記少なくとも１つの誘導モードの持続時間を制御する、植物成長パフォーマンスセンサ及び／又は他の植物健康センサと、
植物形態センサであって、前記コントローラは、前記植物の検知された形態に基づいて、前記成長モードと前記少なくとも１つの誘導モードとを切替え、及び／又は、前記植物の検知された形態に基づいて、前記少なくとも１つの誘導モードの持続時間を制御する植物形態センサと、
の１つ以上を含む、
、請求項６に記載の装置。
【請求項８】
前記コントローラは、前記１日サイクルの前記段階を決定するために、前記１つ以上のセンサを使用する、請求項２に従属する請求項６又は７に記載の装置。
【請求項９】
前記コントローラは、ユーザインターフェースを含み、前記ユーザインターフェースを介して受信されるユーザ入力に基づいて、前記成長モードと前記少なくとも１つの誘導モードとを切り替える、請求項１乃至８の何れか一項に記載の装置。
【請求項１０】
前記少なくとも１つの誘導モードは、複数の誘導モードを含む、請求項１乃至９の何れか一項に記載の装置。
【請求項１１】
前記コントローラは、前記夜間段階中の異なる各時間において、前記複数の誘導モードのそれぞれを適用する、請求項２に従属する請求項１０に記載の装置。
【請求項１２】
前記少なくとも１つの誘導モードが誘導する前記生物学的プロセスは、光周期性プロセス、屈光性プロセス又は光形態形成プロセスを含む、請求項１乃至１１の何れか一項に記載の装置。
【請求項１３】
前記少なくとも１つの誘導モードが誘導する前記生物学的プロセスは、開花、又は病気に対する抵抗を含む、請求項１乃至１２の何れか一項に記載の装置。
【請求項１４】
植物を照らす栽培用照明を提供する方法であって、
複数の照明要素を含む照明モジュールを設けるステップであって、前記照明モジュールは、複数の個別のモードにおける動作に制限され、前記複数の個別のモードは、異なる所定の組み合わせにおける前記複数の照明要素から光を放射することによって異なる個別のスペクトル組成を有する光を放射し、前記複数の個別のモードは、前記植物の成長を促進させるスペクトルで構成される成長モードと、前記植物の別の生物学的プロセスを誘導するスペクトルで構成される少なくとも１つの誘導モードとを含み、前記複数の照明要素の少なくとも１つは、前記成長モード及び前記少なくとも１つの誘導モードの両方において放射する、ステップと、
前記照明モジュールを、１日サイクルの異なる各段階において、前記成長モードと前記少なくとも１つの誘導モードとで切り替えるよう制御するステップと、
を含む、方法。
【請求項１５】
１つ以上の植物と、
前記１つ以上の植物を照らす複数の照明要素を含む照明モジュールと、
前記照明モジュールを、複数の個別のモード間で切り替えるコントローラと、
を含み、
前記照明モジュールは、前記複数の個別のモードにおける動作に制限され、前記複数の個別のモードは、異なる所定の組み合わせにおける前記複数の照明要素から光を放射することによって異なる個別のスペクトル組成を有する光を放射し、前記複数の個別のモードは、前記植物の成長を促進させるスペクトルで構成される成長モードと、前記植物の別の生物学的プロセスを誘導するスペクトルで構成される少なくとも１つの誘導モードとを含み、前記複数の照明要素の少なくとも１つは、前記成長モード及び前記少なくとも１つの誘導モードの両方において放射し、
前記コントローラは、前記照明モジュールを、１日サイクルの異なる各段階において、前記成長モードと前記少なくとも１つの誘導モードとで切り替える、栽培用成長設備。